(57)【要約】【課題】簡単な構成でハンガー本体に簡便にフックを取り付けることができるハンガーを提供する。【解決手段】フック２がその下端部に装着された筒状アダプター３を介してハンガー本体４の中央部に設けられた取付孔４０に回動可能に取り付けられる。筒状アダプター３は、径方向外方に突出する係止突出部３４を有し、かつ、弾性的に縮径可能に構成される。この筒状アダプター３がハンガー本体４の取付孔４０に挿入され、係止突出部３４が取付孔４０の下端開口縁部に係止される。【選択図】　　図１
2004097324.tif 000002
【特許請求の範囲】
【請求項１】
フックがその下端部に装着された筒状アダプターを介してハンガー本体の中央部に設けられた取付孔に回動可能に取り付けられるハンガーであって、上記筒状アダプターは、径方向外方に突出する係止突出部を有し、かつ、弾性的に縮径可能に構成され、この筒状アダプターが上記ハンガー本体の取付孔に挿入され、上記係止突出部が上記取付孔の下端開口縁部に係止されることを特徴とするハンガー。
【請求項２】
請求項１記載のハンガーにおいて、上記筒状アダプターは、その下端部に軸方向に沿う複数個の下側切欠き部が設けられ、これらの下側切欠き部間が、筒状アダプターの径方向内方に弾性的に傾倒し、かつ上記係止突出部を有する弾性係止部として構成されることを特徴とするハンガー。
【請求項３】
請求項１または請求項２記載のハンガーにおいて、上記筒状アダプターは軟質合成樹脂から形成されることを特徴とするハンガー。
【請求項４】
請求項１ないし請求項３記載のハンガーにおいて、上記フックは、その下端部に係合部が設けられている一方、上記筒状アダプターはその内周面に被係合部が設けられ、該係合部及び被係合部の係合により筒状アダプターがフックに装着されていることを特徴とするハンガー。
【請求項５】
請求項４記載のハンガーにおいて、上記筒状アダプターは、その上端部に軸方向に沿う上側切欠き部が設けられ、該上側切欠き部により筒状アダプターが径方向に拡開させて上記フックの下端部が筒状アダプターに挿入され、上記係合部と被係合部とが係合されることを特徴とするハンガー。
【発明の詳細な説明】
【０００１】
【発明の属する技術分野】
この発明は、衣服などを掛け吊すハンガーに関し、特にハンガー本体に対して回動可能なフックを有するハンガーに関する。
【０００２】
【従来の技術】
この種のハンガーとしては、例えば衣服の両肩部に沿うように形成された合成樹脂製のハンガー本体と、このハンガー本体の中央部に上方突出状に設けられた金属製のフックとを備え、このフックが上記ハンガー本体に対して縦軸周りに回動可能でかつ上下方向には移動不能な状態で取り付けられているものが知られている。
【０００３】
このようなハンガーにおいては、例えば下端部に径方向外方に膨出する膨出部が設けられたフックの該膨出部をハンガー本体を構成する合成樹脂が硬化する前に該ハンガー本体の中央部に圧入し、かつこの圧入したフックをハンガー本体に対して回転させてフック膨出部の回動軌道を確保して、フックをハンガー本体に取り付けるものがある。
【０００４】
また、フックの下端部に径方向外方に膨出する膨出部が設けられ、予め加熱したフックの下端部を合成樹脂からなるハンガー本体の中央部に押し付けて回転させ、このフックの熱によりハンガー本体を軟化させてフックの膨出部をハンガー本体に回動可能に埋め込むようなものもある（例えば特許文献１参照）。
【０００５】
【特許文献１】
特開昭５０−４４０５０号公報
【０００６】
【発明が解決しようとする課題】
ところが、上述のようなハンガーにおいては、フックをハンガー本体に取り付けるに当たって、いずれもハンガー本体あるいはフックを加熱する等の熱処理を施さなければならず、その作業が面倒で、簡易かつ迅速に行うことができないという難点があった。
【０００７】
しかも、いずれのハンガーにおいても、フックをハンガー本体に取り付けるに当たって、ハンガー本体を構成する合成樹脂が硬化する前にフックをハンガー本体に対して回転させてフックの膨出部が回動するための軌道を確保しなければならず、その回転させるタイミングや回転速さ等の設定が困難で、ハンガー本体の割れ等の損傷やフックの回動不良などの不都合の原因となる。
【０００８】
本発明は、上記のような従来の技術背景を鑑みてなされたものであり、簡単な構成でハンガー本体に簡便にフックを取り付けることができるハンガーを提供することを目的とする。
【０００９】
【課題を解決するための手段】
上記目的を達成するため、この発明に係るハンガーは、フックがその下端部に装着された筒状アダプターを介してハンガー本体の中央部に設けられた取付孔に回動可能に取り付けられるハンガーであって、上記筒状アダプターは、径方向外方に突出する係止突出部を有し、かつ、弾性的に縮径可能に構成され、この筒状アダプターが上記ハンガー本体の取付孔に挿入され、上記係止突出部が上記取付孔の下端開口縁部に係止されるものである。
【００１０】
上記構成によれば、フックをハンガー本体に取り付けるに当たって、フック下端部に筒状アダプターが装着され、この筒状アダプターを介してフックがハンガー本体に取り付けられるので、取り付けに際してフックとハンガー本体のいずれか一方に熱処理を施して両者を取り付ける必要が無く、比較的簡便な作業で両者を取り付けることができる。すなわち、筒状アダプターが弾性的に縮径可能に構成されているので、フックをその筒状アダプターが装着された下端部側からハンガー本体の取付孔に差し込めば、筒状アダプターが弾性的に縮径して係止突出部を含めた筒状アダプターをハンガー本体の取付孔に挿入することができる。そして、この筒状アダプターの上記係止突出部が、ハンガー本体の取付孔の下端開口部から突出することにより、上記筒状アダプターは、弾性回復し、この弾性回復に伴って係止突出部がこの取付孔の下端開口縁部に係止されて、フックは、ハンガー本体に対して、その上方抜脱が防止された状態で取り付けられる。
【００１１】
この発明において、上記筒状アダプターは、その下端部に軸方向に沿う複数個の下側切欠き部が設けられ、これらの下側切欠き部間が、筒状アダプターの径方向内方に弾性的に傾倒し、かつ上記係止突出部を有する弾性係止部として構成されるのが好ましい。上記のように構成すれば、筒状アダプターの下側切欠き部間に構成された弾性係止部が筒状アダプターの径方向内方に弾性的に傾倒するように構成されているので、筒状アダプターを確実に径方向に弾性的に縮径し得るように構成することができ、この弾性係止部に設けられた係止突出部をハンガー本体の取付孔に挿入して、上記取付孔下端開口縁部に係止させることができる。
【００１２】
上記筒状アダプターは、その素材を特に限定するものではないが、軟質合成樹脂から形成されるのが好ましい。すなわち、筒状アダプターを軟質合成樹脂から形成した場合には、容易に弾性変形することから、フックのハンガー本体に対する取り付けが一層容易になる。
【００１３】
この発明において、上記フックは、その下端部に係合部が設けられている一方、上記筒状アダプターはその内周面に被係合部が設けられ、該係合部及び被係合部の係合により筒状アダプターがフックに装着されているのが好ましい。上記のように構成すれば、フックの下端部を筒状アダプターの上端側から差し込むだけで、それぞれに形成された係合部と被係合部とを係合させることができ、接着等による場合と比べ、簡易かつ迅速に筒状アダプターをフックに装着することができる。
【００１４】
上記のように、係合部と被係合部とを係合させてフックに筒状アダプターが装着される場合には、上記筒状アダプターは、その上端部に軸方向に沿う上側切欠き部が設けられ、該上側切欠き部により筒状アダプターが径方向に拡開させて上記フックの下端部が筒状アダプターに挿入され、上記係合部と被係合部とが係合されるのが好ましい。このように構成すれば、上側切欠き部により筒状アダプターがその上部において径方向に拡開され易くなり、より一層容易に筒状アダプターをフック下端部に装着することができる。なお、上側切欠き部により筒状アダプターの径方向への拡開が容易となることからフックと筒状アダプターとの装着力の低下が懸念されるところであるが、この上側切欠き部を含めて上記ハンガー本体の取付孔に収納されるので、筒状アダプターの拡開が取付孔により規制され、このためフックと筒状アダプターが離脱するような事態も回避される。
【００１５】
【発明の実施の形態】
この発明に係るハンガーを図面に示された一実施形態に基づいて説明する。図１は、本実施形態に係るハンガーを分解した状態で示す一部断面正面図である。図２は、同ハンガーを示す一部断面正面図である。図３は、同ハンガーを示す一部断面側面図である。図５は、同ハンガーの概要を示す斜視図である。
【００１６】
本実施形態のハンガー１は、図１及び図５に明示するように、鈎状に屈曲形成されたフック２と、このフック２下端部に装着された筒状アダプター３と、上記フック２により図示しない支持棒等に掛け吊されるハンガー本体４とを主用構成部材としてなる。
【００１７】
上記フック２は、図１ないし図３に示すように、断面円形のアルミニウム、鉄、ステンレス鋼等の金属製棒体を円弧状に屈曲して、上述のように鈎状に形成され、図示しない支持棒等に引っ掛けられるものとなされている。このフック２に用いられる金属製棒は、その外径が比較的太く、すなわち一定の剛性を有するものが好適に採用される。
【００１８】
フック２は、その下端部に、外方に膨出する１個ないし複数個（本実施形態では３個）の膨出部２０が設けられている。この膨出部２０は、筒状アダプター３の後述する係合孔３５や係合溝３６に係合されるものであり、それぞれ円環状に形成され、これらがフック２の軸方向に沿って複数個並設されている。すなわち、これらの膨出部２０が、本願発明の請求項にいう係合部に相当する。これらの膨出部２０は、それぞれ、軸方向下方に向うにつれ縮径して形成され、その下端面が上記フック２を筒状アダプター３に挿入する際の傾斜誘導面２０ａとして機能する。
【００１９】
なお、この膨出部２０は、本実施形態では、リング状に形成したものを用いているが、これに限らず、例えば螺旋状に形成したものを用いても良い。ただ、フック２の回動による抜脱を防止する観点から、膨出部２０はリング状に形成したものを用いるのが好ましい。また、フック２の断面形状は、特に限定するものではなく、円形の他、四角形、六角形等の多角形や楕円形などの公知の形状が適宜採用される。さらに、フック２は、その材質や外径等を特に限定するものではないが、上記したように比較的太い線形金属棒からなるフックが好適に用いられる。
【００２０】
一方、筒状アダプター３は、図２ないし図４に示すように、ポリエチレン、ポリプロピレン、ＥＶＡ樹脂（エチレン−酢酸ビニル樹脂）等の軟質合成樹脂から一体形成され、上下端部において開口部する略円筒状に形成されている。この筒状アダプター３は、その内径が上記フック２に対応して形成されている一方、その外径がハンガー本体４の後述する取付孔４０に対応して形成されている。また、筒状アダプター３は、軸方向中間部やや下寄りに隔壁３ａを有し、この隔壁３ａ上方に後述するようにフック２下端部が挿入されるものとなされている。
【００２１】
筒状アダプター３は、上端縁における所定箇所から所定長さに亘って軸方向に沿って切り込まれた複数個の上側切欠き部３０と、下端縁における所定箇所から所定長さに亘って軸方向に沿って切り込まれた複数個の下側切欠き部３１とを有し、これらの下側切欠き部３１間に弾性係止部３２が構成されている。
【００２２】
この筒状アダプター３について、具体的に説明すると、図１ないし図４に示すように、上端縁に径方向外方に突出する上端フランジ部３３が設けられ、筒状アダプター３の上端縁における対称２箇所からその幅を略一定させて細長く切り込まれ、その下端底縁部が上記隔壁３ａに略対位するように上側切欠き部３０（本実施形態では２個）が設けられると共に、筒状アダプター３の下端縁における対称２箇所から軸方向に沿って三角形状に切り込まれ、その上端底縁部が上記隔壁３ａに略対位するように下側切欠き部３１（本実施形態では２個）が設けられている。これらの下側切欠き部３１と上側切欠き部３０との位置関係は、円筒状のアダプター３の周方向における異なる位置、本実施形態では対称状に形成された各々の切欠き部を結ぶ線が直交するように配置されている。このように、筒状アダプター３の周方向における異なる位置に各切欠き部３０，３１を形成することにより、これらの切欠き部３０，３１間に生じうる亀裂や割れの発生を防止して筒状アダプター３の強度が向上される。
【００２３】
なお、上記下側切欠き部３１または上側切欠き部３０は、後述するように筒状アダプター３の上部または下部を弾性的に拡縮変形させるために設けるためのものであり、その形状は、特に限定されるものではなく、上記拡縮変形のし易さや筒状アダプター３の強度等を勘案して、例えばＵ字状、円弧状、台形状等適宜公知の形状が採用される。また、これらの下側切欠き部３１及び上側切欠き部３０の個数も特に限定されるものではなく、上記と同様に、拡縮変形のし易さや筒状アダプター３の強度等を考慮して適宜設定される。
【００２４】
筒状アダプター３の下部は、下側切欠き部３１により、弾性係止部３２として構成されている。すなわち、筒状アダプター３下部における下側切欠き部３１間は、筒状アダプター３の径方向に弾性的に拡縮変形し得る弾性係止部３２として構成されている。各弾性係止部３２は、その下端部に筒状アダプター３の径方向外方に突出する係止突出部３４が設けられ、この係止突出部３４が後述するハンガー本体４の取付孔４０下端開口縁部に係止されるものとなされている。各係止突出部３４は、図１または図２に示すように、その下端面が筒状アダプター３の径方向外方に向かうにつれ上方に傾斜するガイド面３４ａとして構成され、後述するように、フック２に装着された筒状アダプター３をハンガー本体４の取付孔４０に差し込むことにより、ガイド面３４ａに従って弾性係止部３２が縮径変形して係止突出部３４がハンガー本体４の取付孔４０を通過し得るように形成されている。
【００２５】
筒状アダプター３の上部における上側切欠き部３０間には、それぞれ周方向に細長い係合孔３５が筒状アダプター３の軸方向に沿って複数個（本実施形態では３個ずつ）並列的に設けられている。軸方向に沿って並設された係合孔３５は、それぞれ上記フック２の膨出部２０に対応して形成され、これらの膨出部２０が係合されるものとなされている。すなわち、係合孔３５の高さは、フック２の各膨出部２０高さに対応して形成されており、また係合孔３５間の間隔は、フック２の膨出部２０間の間隔に対応して形成されている。なお、これらの係合孔３５は、筒状アダプター３の周側壁を貫通して設けられている。
【００２６】
一方、筒状アダプター３の内周面における上記隔壁３ａよりも上位には、上記各係合孔３５に連通する係合溝３６が内周面に沿って略環状に形成されている。この係合溝３６も、係合孔３５と同様に、上記フック２の膨出部２０に対応して、軸方向に沿って複数本（本実施形態では３本）並設され、フック２下端部に形成された各膨出部２０が係合されるものとなされている。すなわち、これらの係合孔３５及び係合溝３６は、本願発明の請求項にいう被係合部に相当する。なお、これらの係合孔３５及び係合溝３６のうち、いずれか一方、または両方を適宜省略することができる。
【００２７】
上記ハンガー本体４は、図１ないし図３及び図５に示すように、上記フック２が取り付けられる長手方向中央部に、ハンガー本体４を高さ方向に貫通する取付孔４０が設けられている。具体的には、ハンガー本体４には、フック２取付部分である中心部の内側に上下両側が開口する筒体４１が一体に設けられており、この筒体４１の軸孔が取付孔４０として機能する。
【００２８】
この筒体４１は、図１ないし図３に示すように、その上端開口部が拡径されて段部４２が形成され、この段部４２に後述する筒状アダプター３の上端フランジ部３３が収納係止されるものとなされている。また、筒体４１は、その内径が筒状アダプター３が挿入し得るように設定され、好ましくは軟質合成樹脂からなる筒状アダプター３が緊密状態に嵌合し得るように設定されている。このように、筒状アダプター３が緊密状態に嵌合し得るように設定することにより、フック２の不測の回動が抑制され、例えばハンガー１に衣服を掛けて輸送車等で運搬する場合等に、振動等によりハンガー本体４が自由に回動して隣接する衣服同士が擦れ合い、服地を傷めるといった事態を回避することができる。
【００２９】
なお、この筒体４１の下端面は、周方向に平坦に形成され、後述する筒状アダプター３の係止突出部３４が摺動し得るものとなされている。
【００３０】
次に、上記構成のハンガー１を組み立てる場合について説明する。
【００３１】
このハンガー１を組み立てるには、まず、筒状アダプター３をフック２下端部に装着する。具体的には、フック２下端部を筒状アダプター３にその上方から強制的に圧入する。このとき、筒状アダプター３は、上側切欠き部３０の存在により、フック２下端部の挿入に伴って膨出部２０の傾斜誘導面２０ａに従って弾性的に径方向外方に拡開し、まず筒状アダプター３の最上部の係合孔３５及び係合溝３６にフック２の最下端部の膨出部２０が係合し、さらにフック２を強く押し込んで、フック２の膨出部２０を対応する筒状アダプター３の係合孔３５及び係合溝３６に係合する。すなわち、上側切欠き部３０により筒状アダプター３を弾性的に拡縮変形させて、筒状アダプター３の被係合部に相当する係合孔３５及び係合溝３６にフック２の係合部に相当する膨出部２０を係合させることにより、筒状アダプター３をフック２下端部に装着する。
【００３２】
次に、この筒状アダプター３が下端部に装着されたフック２をハンガー本体４の取付孔４０に回動可能に取り付ける。具体的には、筒状アダプター３が装着されたフック２下端部をハンガー本体４の取付孔４０にその上方から強制的に挿入する。このとき、筒状アダプター３は、下側切欠き部３１の存在により、フック２下端部の挿入に伴って係止突出部３４のガイド面３４ａに従って弾性的に径方向内方に縮径変形する。すなわち、弾性係止部３２が、その係止突出部３４のガイド面３４ａにより、筒状アダプター３の径方向内方に傾倒させられ、筒状アダプター３が係止突出部３４を含めて取付孔４０内に挿入される。このフック２をそのまま押し込んでいくと、やがて筒状アダプター３の上端フランジ部３３が取付孔４０内の段部４２に当接されると共に、筒状アダプター３の係止突出部３４が取付孔４０から突出し、この突出に伴い弾性係止部３２が弾性回復して係止突出部３４が取付孔４０下端開口縁部に係止される。
【００３３】
これにより、フック２は、筒状アダプター３を介して、ハンガー本体４に縦軸周りに回動可能で、かつ上下方向には移動不能な状態で取り付けられる。すなわち、フック２下端部に装着された筒状アダプター３は、その上端フランジ部３３がハンガー本体４の取付孔４０の上端開口縁部、本実施形態では段部４２に当接されて、フック２の下側への移動を規制し、また係止突出部３４がハンガー本体４の取付孔４０の下端開口縁部に当接されてフック２の上側への移動を規制すると共に、これらの上端フランジ部３３及び係止突出部３４が取付孔４０の上下端両開口縁部上を摺動してフック２の縦軸周りの回動を可能としている。
【００３４】
このように、本実施形態のハンガー１によれば、フック２が、その下端部に装着された所定の筒状アダプター３を介して、ハンガー本体４に取り付けられるので、フック２をハンガー本体４に取り付けるに当たって熱処理等を要さず、上記のように、挿入等の比較的簡便な作業でフック２を回動可能でかつ上下移動不能にハンガー本体４に取り付けることができる。しかも、上下両側切欠き部３０，３１が設けられた筒状アダプター３を介してフック２とハンガー本体４を取り付けるので、比較的簡単な構造で両者の容易な取り付けを実現することができる。
【００３５】
また、フック２は、その下端部に膨出部２０が設けられている一方、上記筒状アダプター３はその上部内周面に係合孔３５及び係合溝３６が設けられ、フック膨出部２０が筒状アダプター３の係合孔３５及び係合溝３６に係合させるように構成されているので、フック２の下端部を筒状アダプター３の上方から差し込むだけで、両者を係合させることができ、接着等による場合と比べ、簡易かつ迅速に筒状アダプター３をフック２に装着することができる。しかも、筒状アダプター３に設けられた上側切欠き部３０により筒状アダプター３が径方向に拡開され易くなり、フック２下端部の筒状アダプター３への差し込みが容易となる。なお、上側切欠き部３０により筒状アダプター３の径方向への拡開が容易となることからフック２と筒状アダプター３との装着強度の低下が懸念されるところであるが、この上側切欠き部３０を含めて上記ハンガー本体４の取付孔４０に収納されるので、筒状アダプター３の拡開が取付孔４０により規制され、このためフック２が筒状アダプター３から抜脱するような事態も回避される。
【００３６】
なお、以上に本実施形態に係るハンガー１について説明したが、この発明に係るハンガーは、上記実施形態に限定されるものではなく、その趣旨を逸脱しない範囲で種々の変更が可能である。例えば、以下のような変更が可能である。
【００３７】
上記実施形態では、筒状アダプター３に上下両側切欠き部３０，３１を設け、筒状アダプター３を径方向に弾性的に拡縮変形可能に構成しているが、この拡縮変形させるための構造は、上記実施形態の構造に限るものではない。例えば、切欠き部を設けることなく、筒状アダプターの材質を適宜選択して、筒状アダプターを拡縮変形させるように構成しても良い。
【００３８】
また、上記実施形態では、筒状アダプター３の材質として、ポリエチレン、ポリプロピレン等の軟質合成樹脂を採用したが、筒状アダプターの材質はこれに限定されるものではなく、硬質合成樹脂等その他の材質を採用するものであっても良い。ただし、筒状アダプター３として軟質合成樹脂を採用した場合には、筒状アダプター３が容易に弾性変形することから、フック２のハンガー本体４に対する取り付けが容易になるばかりでなく、上記のように筒状アダプターを容易に拡縮変形させることができ、また筒状アダプター３がより密着した状態でフック２に装着されるので、フック２が筒状アダプター３から抜脱するという事態をより確実に防止することができる点で有利である。
【００３９】
また、上記実施形態では、フック２に設けられる係合部としてフック２全周に亘って設けられた膨出部２０を採用し、筒状アダプター３に設けられる被係合部として係合孔３５と係合溝３６とが筒状アダプター３内周面の略全周に亘って設けられる構造を採用したが、係合部及び被係合部の構造はこれに限定されるものではない。例えば、フック周方向の一部に突出部を設け、この突出部が係合される係合孔を設けるものであっても良く、公知の係合構造を広く採用することができる。
【００４０】
【発明の効果】
以上のように、この発明に係るハンガーによれば、フックがその下端部に装着された筒状アダプターを介してハンガー本体の中央部に設けられた取付孔に回動可能に取り付けられるハンガーであって、上記筒状アダプターは、径方向外方に突出する係止突出部を有し、かつ、弾性的に縮径可能に構成され、この筒状アダプターが上記ハンガー本体の取付孔に挿入され、上記係止突出部が上記取付孔の下端開口縁部に係止されるので、フックをハンガー本体に取り付けるに当たって、フックとハンガー本体のいずれか一方に熱処理を施して両者を取り付ける必要が無く、比較的簡便な作業で両者を取り付けることができる。
【図面の簡単な説明】
【図１】本実施形態に係るハンガーを分解した状態で示す一部断面正面図である。
【図２】同ハンガーを示す一部断面正面図である。
【図３】同ハンガーを示す一部断面側面図である。
【図４】同ハンガーの筒状アダプターを示す斜視図である。
【図５】同ハンガーの概要を示す斜視図である。
【符号の説明】
１　ハンガー
２　フック
３　筒状アダプター
４　ハンガー本体
２０　膨出部（係合部）
３０　上側切欠き部
３１　下側切欠き部
３２　弾性係止部
３４　係止突出部
３５　係合孔
３６　係合溝
【図１】
2004097324.tif 000003
【図２】
2004097324.tif 000004
【図３】
2004097324.tif 000005
【図４】
2004097324.tif 000006
【図５】
2004097324.tif 000007